(57)【要約】【課題】  受信装置が備える無停電電源装置の異常を簡単な構成で遠隔地から知る。【解決手段】  受信装置２がテレビジョン放送信号を受信し、受信したテレビジョン放送信号を送信装置４に光連絡線設備５を介して供給し、送信装置４は供給されたテレビジョン放送信号を再送信する。受信装置２は、受信側電源部１８と、受信側電源部１８のバッテリー２４に異常があるとき検出信号を送信装置４に光連絡線設備５を介して供給する充放電監視回路５２とを、有している。送信装置４は、送信側異常検出信号に基づいて異常を出力するＬＥＤ８４と、送信側異常検出信号を再送信するアンテナ８２を有している。【選択図】        図１
2010263335.tif 000002
【特許請求の範囲】
【請求項１】
受信装置がテレビジョン放送信号を受信し、受信したテレビジョン放送信号を離れた位置にある送信装置に連絡線設備を介して供給し、該送信装置は供給されたテレビジョン放送信号を再送信する再送信システムにおいて、
前記受信装置は、受信側無停電電源装置と、該受信側無停電電源装置に異常があるとき受信側異常検出信号を前記連絡線設備に供給する受信側異常検出手段とを、有し、
前記送信装置は、前記連絡線設備を介して供給された前記受信側異常検出信号に基づいて異常を出力する受信側異常出力手段を有する
再送信システム。
【請求項２】
請求項１記載の再送信システムにおいて、
前記受信装置は、
地上デジタルテレビジョン放送信号を受信する受信アンテナと、前記地上デジタルテレビジョン放送信号のうち１波の地上デジタルテレビジョン放送信号を処理し、前記送信装置に前記連絡線設備を介して伝送する受信側単チャンネル処理ユニットとを、有し、前記無停電電源装置は、商用電源の非供給時には前記受信側単チャンネル処理ユニットにバッテリーから動作電力を供給するように構成されている
再送信システム。
【請求項３】
請求項１記載の再送信システムにおいて、前記受信側異常出力手段は、前記受信側検出信号に基づいて前記受信装置の前記無停電電源装置の異常を目視できるように表示する受信側表示手段である再送信システム。
【請求項４】
請求項１記載の再送信システムにおいて、前記受信側異常検出手段は、前記受信側異常検出信号として、前記受信したテレビジョン放送信号と非重複で受信手段によって受信可能な周波数の受信側高周波信号を前記連絡線設備を介して前記送信装置に伝送し、前記送信装置は、伝送された前記受信側高周波信号を再送信する再送信システム。
【請求項５】
請求項４記載の再送信システムにおいて、前記送信装置は、送信側無停電電源装置と、該送信側無停電電源装置に異常があるとき送信側検出信号を出力する送信側異常検出手段とを、有し、該送信側異常検出信号は、前記受信したテレビジョン放送信号及び受信側高周波信号と非重複で前記受信手段によって受信可能な周波数の送信側高周波信号であり、該送信側高周波信号を前記送信装置が送信する再送信システム。
【発明の詳細な説明】
【技術分野】
【０００１】
本発明は、再送信システムに関し、特に、その受信装置が無停電電源装置を備えたものに関する。
【背景技術】
【０００２】
従来、共同受信システムには、停電時の対策として、特許文献１に開示されているように無停電電源装置をセンター装置に装備したものがある。特許文献１の無停電電源装置は、バッテリーを備えたものである。特許文献２には、停電が生じて無停電電源装置のバッテリーから中継増幅器に動作電力が供給されると、無停電電源装置が備える監視装置が、この無停電電源装置の近くの加入者宅まで共同受信システムとは別個に敷設した通信線を介して加入者宅の受信機に警報信号を伝送する技術が開示されている。
【先行技術文献】
【特許文献】
【０００３】
【特許文献１】特開平７−１２３０６３号公報
【特許文献２】特開２００３−２３０２３１号公報
【発明の概要】
【発明が解決しようとする課題】
【０００４】
特許文献１の無停電電源装置はバッテリーを備えたものであり、保守点検を行う必要がある。この無停電電源装置を再送信システムの受信装置に実施することも考えられる。しかし、再送信システムの受信装置は、例えば山の頂等の頻繁に保守点検に行きにくい場所に設置されることが多い。そのため、受信装置から遠隔地において無停電電源装置の状況を知ることが望ましい。特許文献２の技術を適用すれば、遠隔地において無停電電源装置の状況を知ることはできるが、別途通信線を加入者宅まで敷設しなければならず、その構成が複雑になる。
【０００５】
本発明は、受信装置が備える無停電電源装置の異常を簡単な構成で遠隔地から知ることができる再送信システムを提供することを目的とする。
【課題を解決するための手段】
【０００６】
本発明の一態様の再送信システムは、受信装置がテレビジョン放送信号を受信し、受信したテレビジョン放送信号を離れた位置にある送信装置に連絡線設備を介して供給し、該送信装置が供給されたテレビジョン放送信号を再送信するものである。受信装置は、受信側無停電電源装置と、該受信側無停電電源装置に異常があるとき受信側異常検出信号を前記送信装置に供給する送信側異常検出手段とを、有している。送信装置は、伝送された受信側異常検出信号に基づいて異常を出力する異常出力手段を有する。
【０００７】
このように構成された再送信システムでは、受信側無停電電源装置に異常が生じた場合、その受信側異常検出信号が送信装置に連絡線設備を介して伝送され、送信装置において出力される。従って、受信装置とは離れた位置にある送信装置において、受信装置の受信側無停電電源装置に異常が生じていることを知ることができる。
【０００８】
受信装置は、地上デジタルテレビジョン放送信号を受信する受信アンテナと、前記地上デジタルテレビジョン放送信号のうち１波の地上デジタルテレビジョン放送信号を処理し、前記共同受信システムに供給する受信側単チャンネル処理ユニットとを、有し、前記受信側無停電電源装置は、商用電源の非供給時には前記受信側単チャンネル処理ユニットにバッテリーから動作電力を供給するように構成されているものとすることができる。
【０００９】
この形態では、単チャンネル処理ユニットが、災害などの発生によって停電している場合でも、動作可能とするために受信側無停電電源装置が設けられている。従って、この受信側無停電電源装置に異常がある場合、早急にそのことが報知されて処置が行われ、前記１波の地上デジタルテレビジョン放送を常に行えるようにすることに、非常に意義がある。
【００１０】
前記受信側異常検出手段は、前記受信側異常検出信号に基づいて前記受信装置の前記受信側無停電電源装置の異常を目視できるように表示する表示手段とすることができる。このように構成すると、受信装置の無停電電源装置に異常があることを、離れた位置にある送信装置において目視で確認することができる。
【００１１】
前記受信側異常検出手段は、前記受信側異常検出信号として前記受信したテレビジョン放送信号と非重複の周波数の受信側高周波信号を前記送信装置に連絡線設備を介して伝送することができるものとすることができる。この場合、前記送信装置は、伝送された前記高周波信号を再送信する。高周波信号としては、受信手段によって受信可能な周波数帯、例えばＦＭ放送の周波数帯とすることが望ましい。このように構成すると、異常が検出されたとき、高周波信号が送信装置に伝送され、再送信されるので、送信装置の近傍にいない人でも、受信手段によって、受信側無停電電源装置に異常があることを送信装置の近傍以外の場所でも知ることができる。
【００１２】
さらに、前記送信装置は、送信側無停電電源装置と、該送信側無停電電源装置に異常があるとき送信側検出信号を出力する送信側異常検出手段とを、有するものとできる。該送信側異常検出信号は、前記受信したテレビジョン放送信号及び受信側高周波信号と非重複で前記受信手段によって受信可能な周波数の送信側高周波信号であり、該送信側高周波信号を前記送信装置が送信する。このように構成すると、送信側無停電電源装置に異常が発生したとき、送信側高周波信号が送信装置から送信されるので、送信装置の近傍にいない人でも、受信手段によって、送信側無停電電源装置に異常があることを送信装置の近傍以外の場所でも知ることができる。
【発明の効果】
【００１３】
以上のように、本発明によれば、再送信システムで使用している無停電電源装置の異常を簡単な構成で遠隔地から知ることができる。
【図面の簡単な説明】
【００１４】
【図１】本発明の１実施形態の再送信システムのブロック図である。
【図２】図１の再送信システムの受信装置と送信装置との配置を示す略図である。
【図３】図１の再送信システムで使用している受信装置の電源部のブロック図である。
【図４】図１の再送信システムで使用している送信装置の電源部のブロック図である。
【図５】図１の再送信システムで使用している送信装置の外観の略図である。
【図６】図３のバッテリーの監視に関連する回路の別の例を示すブロック図である。
【発明を実施するための形態】
【００１５】
本発明の１実施形態の再送信システムは、いわゆるギャプフィラーシステムであり、図１に示すように、受信装置２と送信装置４と、これらを接続する連絡線設備、例えば光連絡線設備５を有している。受信装置２には、光連絡線設備５の光送信機１４、１６が一体構成されている。送信装置４には、光連絡線設備５カプラ４０、フィルタ４３、５０、光受信機４６、５２が一体構成されている。
【００１６】
受信装置２は、例えば図２に示すように例えば難視聴地域の近傍にあって良好にテレビジョン放送信号を受信できる位置、例えば山の頂上に設置されている。ここで受信したテレビジョン放送信号を送信装置４に伝送する。図２に示すように送信装置４は複数設置されており、受信装置２と各送信装置４とは、かなり離れた位置にある。
【００１７】
図１に示すように受信装置２は、ＵＨＦ帯の地上デジタルテレビジョン放送信号の受信用アンテナ６を有しており、この受信用アンテナ６で受信された複数チャンネルの地上デジタルテレビジョン放送信号が、ヘッドアンプ１０に供給される。
【００１８】
ヘッドアンプ１０は、各チャンネルの地上デジタルテレビジョン放送信号をそれぞれ個別に増幅する複数の受信側単チャンネル処理ユニット１２−１乃至１２−ｎを有している。これら複数の受信側単チャンネル処理ユニット１２−１乃至１２−ｎのうち特定のチャンネルの地上デジタルテレビジョン放送信号を増幅している受信側単チャンネル処理ユニット１２−１での出力信号が、光送信機１４に供給され、特定の波長の光信号に変換される。また、残りの受信側単チャンネル処理ユニット１２−２乃至１２−ｎによってそれぞれ増幅された残りの複数チャンネルの地上デジタルテレビジョン放送信号は、合成されて光送信機１６に供給され、ここで光送信機１４とは異なる波長の光信号に変換される。
【００１９】
ヘッドアンプ１０は、受信側電源部１８を有している。図３に示すように、この受信側電源部１８は、複数波動作用電源回路２０を有している。これは、図１に示す交流電源部２２から供給された３０乃至６０Ｖの交流電圧を直流電圧に変換し、これを受信側単チャンネル処理ユニット１２−１、１２−２乃至１２−ｎ及び光送信機１４、１６に供給して、これらを動作させるものである。交流電源部２２は、商用電源から上記交流電圧を発生しており、商用電源が作動している通常状態では、複数波動作用電源回路２０は、受信側単チャンネル信号処理ユニット１２−１、１２−２乃至１２−ｎ及び光送信機１４、１６に動作電力を供給しているが、災害等によって商用電源が非供給（停電）のときには、１２−１、１２−２乃至１２−ｎ及び光送信機１４、１６に動作電力を供給できない。
【００２０】
受信側電源部１８には内部バッテリー２４が設けられ、受信側停電検出手段、例えば停電検出回路２６が商用電源の停電を検出したとき、この内部バッテリー２４の電圧が出力制御回路２８によって制御されて、１波動作用電源回路３０に供給され、ここで受信側単チャンネル処理ユニット１２−１及び光送信機１４のみを動作させるのに適切な電圧に調整されて、これらに供給される。従って、停電が生じても、受信側単チャンネル処理ユニット１２−１及び光送信機１４は、自動的に動作を継続する。なお、内部バッテリー２４は、受信側異常検出手段、例えば充放電監視回路３２によって充放電状態が監視されており、放電状態では、交流電源部２２からの交流電圧に基づいて充電されている。また、充放電監視回路３２は、内部バッテリー６４の充放電が正常に行われていないとき、受信側異常検出信号を発生する。長時間にわたって１波の地上デジタルテレビジョン放送を継続する必要があるような場合に備えて、受信装置２の外部に外部バッテリー３３も設け、これからも動作電力を受信側単チャンネル処理ユニット１２−１、光送信機１４に供給できるように構成してある。
【００２１】
受信側単チャンネル処理ユニット１２−１内には、図１に示すように、受信側高周波発生手段、例えばＦＭ変調信号発生器１３も設けられている。このＦＭ変調信号発生器１３は、図３の充放電監視回路３２が異常を検出したときに動作し、ＦＭラジオ受信機で受信可能な周波数のキャリアを適切な信号、例えば受信装置側のバッテリーが異常である旨の音声信号でＦＭ変調した受信側ＦＭ変調信号を生成する。このＦＭ変調信号も光送信機１４に供給される。従って、光送信機１４は、停電が生じたとき、受信側単チャンネル処理ユニット１２−１の特定の１チャンネルの地上デジタルテレビジョン放送信号とＦＭ変調信号とを光信号に変換する。
【００２２】
図１に示すように、光送信機１４、１６からの光信号は光連絡線設備５の光合成器３４において合成され、この合成された光信号は光連絡線設備５の光分配器３６に供給され、光分配器３６でさらに複数に分配され、光連絡設備５の光ファイバー３７を介して各送信装置４に供給される。
【００２３】
送信装置４では、光分配器３６の１つの分配端子からの光信号をカプラ４０が受けて、これを、送信側単チャンネル処理ユニット４２と、送信側多チャンネル処理ユニット４４とに供給する。
【００２４】
送信側単チャンネル処理ユニット４２では、カプラ４０からの光信号から、フィルタ４３によって光送信機１４からの光信号を抽出し、光受信機４６によって元の単チャンネルの地上デジタルテレビジョン放送信号に復元する。なお、ＦＭ変調信号発生器１３のＦＭ変調信号が光信号に含まれている場合には、これも復元する。復元された単チャンネルの地上デジタルテレビジョン放送信号は増幅器４８によって電力増幅される。同様に送信側多チャンネル処理ユニット４４では、カプラ４０からの光信号から、フィルタ５０によって光送信機１６からの光信号を抽出し、光受信機５２によって元の複数チャンネルの地上デジタルテレビジョン放送信号に復元し、これを増幅器５４によって電力増幅する。これら増幅器４８、５４で増幅された各地上デジタルテレビジョン放送信号は、合成器５６によって合成され、送信アンテナ５８から送信される。
【００２５】
ＦＭ変調信号が光送信機１４の光信号に含まれている場合、復元されたＦＭ変調信号は、光受信機４６の出力から分岐され、１分岐器７４を介してレベル検出器７６に供給され、その検出信号に基づいて受信側異常出力手段、例えば表示手段、具体的にはＬＥＤ７８に供給され、これを点灯させる。また、復元されたＦＭ変調信号は、１分岐器７４、合成器８０を介して再送信アンテナ８２に供給され、再送信アンテナ８２から再送信される。
【００２６】
これら送信側単チャンネル処理ユニット４２及び送信側多チャンネル処理ユニット４４は、無停電電源装置、例えば送信側電源部６０からの動作電力によって動作している。送信側電源部６０は、図４に示すように、複数波動作用電源回路６２を有している。この複数波動作用電源回路６２は、商用電源から供給された１００Ｖの交流電圧を直流電圧に変換し、これを送信側単チャンネル処理ユニット４２及び送信側多チャンネル処理ユニット４４に供給して、これらを動作させる。この複数波動作用電源回路６２は、災害等によって商用電源が非供給（停電）のときには、送信側単チャンネル処理ユニット４２及び送信側多チャンネル処理ユニット４４に動作電力を供給できない。
【００２７】
送信側電源部６０には内部バッテリー６４が設けられ、送信側停電検出手段、例えば停電検出回路６６が商用電源の停電を検出したとき、この内部バッテリー６４の電圧が出力制御回路６８によって制御されて、１波動作用電源回路７０に供給され、ここで送信側単チャンネル処理ユニット４２のみを動作させるのに適切な電圧に調整されて、送信側単チャンネル処理ユニット４２に供給される。従って、停電が生じても、送信側単チャンネル処理ユニット４２は、動作を自動的に継続する。なお、内部バッテリー６４は、充放電監視回路７２によって充放電状態が監視され、内部バッテリー６４の出力に異常が生じているとき、送信側異常検出信号を発生する。
【００２８】
この送信側異常検出信号に基づいて、図１に示すように受信側異常出力手段、例えば表示手段、具体的にはＬＥＤ８４に供給され、ＬＥＤ８４が点灯する。また、この送信側異常検出信号に基づいて受信側高周波発生手段、例えばＦＭ変調信号発生器８６が動作する。ＦＭ変調信号発生器８６は、ＦＭ変調信号発生器１３のキャリアとは異なる周波数でＦＭ受信機で受信可能な周波数のキャリアを、適切な信号、例えば送信装置側のバッテリーが異常である旨の音声信号で変調した送信側ＦＭ変調信号を発生する。この送信側ＦＭ変調信号は、合成器８０を介して再送信アンテナ８２に供給される。
【００２９】
なお、ＬＥＤ７８、８４は、図５に示すように、送信装置４の筐体の外面に設けられ、これらが点灯していることが容易に確認できるように配置されている。
【００３０】
このように構成された再送信システムでは、停電が生じていない場合、受信装置２の受信側単チャンネル処理ユニット１２−１、１２−２乃至１２−ｎ及び光送信機１４、１６は、受信側電源部１８の複数波動作用電源回路２０からの動作電力によって動作し、送信装置４の送信側単チャンネル処理ユニット４２、送信側多チャンネル処理ユニット４４は、送信側電源部６０の複数波用電源回路６２からの動作電力によって動作している。従って、受信アンテナ６で受信された各地上デジタルテレビジョン放送信号は、光信号に変換されて、送信装置４に伝送され、送信側単チャンネル処理ユニット４２及び送信側多チャンネル処理ユニット４４で元の各地上デジタルテレビジョン放送信号に変換されて、送信アンテナ５８から再送信される。
【００３１】
受信装置２側で停電が生じた場合、受信側電源部１８の複数波動作用電源回路２０からの動作電力の供給は停止されるが、自動的に１波動作用電源回路３０が動作する。その結果、受信側単チャンネル処理ユニット１２−２乃至１２−ｎと光送信機１６とは動作を停止するが、受信側単チャンネル処理ユニット１２−１と光送信機１４とは、動作を継続する。従って、特定の１波の地上デジタルテレビジョン放送信号を変換した光信号の送信装置４への伝送は、停電が生じても、継続される。
【００３２】
このように停電が生じていない状態でも、停電が生じた状態でも、受信側単チャンネル処理ユニット１２−１、光送信機１４、送信側単チャンネル処理ユニット４２は、常に動作を継続しているので、受信側電源部１８の内部バッテリー２４に異常が生じたことを、たとえ停電が生じても報知することができる。また、この異常が生じたことは、再送信されているので、送信装置４の近辺にいない人にも報知することができる。
【００３３】
上記の実施形態では、受信装置や連絡線設備及び送信装置に、例えば光共同受信システムや同軸ケーブル使用の共同受信システムに併設して当該システムを構成することができる。上記の実施形態では受信装置や専用の連絡線設備を使用したが、共同受信システムに併設した場合、連絡線設備はこれら共同受信システムとの共用を図ることができるので、経済的な再送信システムを提供することができる。
【００３４】
上記の実施形態では、受信側ＦＭ変調信号発生器１３は、受信側単チャンネル処理ユニット１２−１内に内蔵したが、図６に示すように、ＦＭ変調信号発生器１３を独立して設け、このＦＭ変調信号を光信号に変換する光送信機３００を別個に設けることも可能である。この場合、光送信機３００の光信号の波長は、他の光送信機の光信号の波長と異なるものである。また、ＦＭ変調信号発生器１３及び光送信機３０は、受信側電源部１８の複数波動作用電源回路２０と１波動作用電源回路２０とから動作電力の供給を受ける。また、ＦＭ変調信号発生器１３からの受信側ＦＭ変調信号を、送信側単チャンネル処理ユニット４２で処理したが、受信側ＦＭ変調信号専用の処理ユニットを設けることもできる。その処理ユニットの構成は、フィルタ４３が選択する光信号の波長が異なる以外送信側単チャンネル処理ユニット４２と同一の構成であり、この処理手段の出力信号が１分岐器７４に供給される。この処理ユニットも、送信側電源部６０の複数波動作用電源回路６２と１波動作用電源回路７０とから動作電力の供給を受ける。
【符号の説明】
【００３５】
２  受信装置
４  送信装置
６  受信アンテナ
１２−１乃至１２−ｎ  受信側単チャンネル放送用信号処理ユニット
１８  受信側電源部（無停電電源装置）
７８  ＬＥＤ（出力手段）
【図１】
2010263335.tif 000003
【図２】
2010263335.tif 000004
【図３】
2010263335.tif 000005
【図４】
2010263335.tif 000006
【図５】
2010263335.tif 000007
【図６】
2010263335.tif 000008